(57)【要約】【課題】ヒューズブロックに被冠された絶縁保護カバーが外力による衝撃を受けても外れにくい構造のヒューズユニットを提供する。【解決手段】車両のバッテリーと負荷との間に接続されるヒューズ機能を有するバスバーをモールドして形成された樹脂製のヒューズブロック１０と、ヒューズブロックに被冠される樹脂製の絶縁保護カバー２０とを備え、ヒューズブロック１０は、バスバー１３、１５よりも外側の縁部に穴１６が形成され、絶縁保護カバー２０は、ヒューズブロックの穴１６に対応する位置に垂下された柱体部２１が形成され、柱体部２１を穴１６に圧入して取り付けられる構造とする。【選択図】  図２
2013004438.tif 000002
【特許請求の範囲】
【請求項１】
車両のバッテリーと負荷との間に接続されるヒューズ機能を有するバスバーをモールドして形成された樹脂製のヒューズブロックと、該ヒューズブロックに被冠される樹脂製の絶縁保護カバーとを備え、
前記ヒューズブロックは、前記バスバーよりも外側の縁部に穴が形成され、
前記絶縁保護カバーは、前記ヒューズブロックの前記穴に対応する位置に垂下された柱体部が形成され、該柱体部を前記ヒューズブロックの前記穴に圧入して取り付けられてなるヒューズユニット。
【請求項２】
前記柱体部は、前記ヒューズブロックの前記穴を貫通する長さに形成され、先端部に前記穴の縁部に係止する突起が設けられてなることを特徴とする請求項１に記載のヒューズユニット。
【発明の詳細な説明】
【技術分野】
【０００１】
本発明は、ヒューズユニットに係り、特に、自動車などの車両の電装回路に用いるヒューズユニットに関する。
【背景技術】
【０００２】
自動車などの車両の電装回路に用いるヒューズユニットとしては、様々な型式のものが提案されている。例えば、特許文献1に記載されているヒューズユニットは、ヒューズ機能を有するバスバーをモールドして形成された樹脂製のヒューズブロックと、このヒューズブロックを保護する樹脂製の絶縁保護カバーとを備えて構成されている。ヒューズ機能を有するバスバーは、過電流が流れたときに溶断する可溶体を備えたヒュージブルリンクと、このヒュージブルリンクにそれぞれ連結され、バッテリー側の電源端子が接続されるバスバーと、負荷端子が接続されるバスバーとから形成されている。また、同文献に記載のヒューズユニットは、電源端子をバッテリーの電極に直接接続して、ヒューズユニット自体をバッテリーに取付け、電装回路を簡素化している。絶縁保護カバーは、ヒューズユニットを構成する電源端子、負荷端子、及びバスバー等の導体の露出部全体を覆って設けられている。
【先行技術文献】
【特許文献】
【０００３】
【特許文献１】特開２０１０−２０５６８１号公報
【発明の開示】
【発明が解決しようとする課題】
【０００４】
しかしながら、特許文献1に記載されたような従来の絶縁保護カバーは、樹脂製のヒューズブロックに形成された係止段部に、絶縁保護カバーに形成された鉤型の爪を係止させて着脱可能に取り付ける構造になっている。そのため、大きな衝撃力が絶縁保護カバーに加わると、絶縁保護カバーの爪が係止段部から外れて、ヒューズユニットを構成する導体部が露出してしまう可能性がある。このように導体部が露出すると、車両の鋼板等の導電性部材が導体部に触れて漏電する可能性がある。また、大きな衝撃力で車両の導電性部材が絶縁性のヒューズブロックにあたると、バスバーを覆っているモールド樹脂が損傷してバスバーが露出し、露出したバスバーに導電性部材が接触して漏電する可能性がある。
【０００５】
本発明が解決しようとする課題は、ヒューズブロックに被冠された絶縁保護カバーが外力による衝撃を受けても外れにくい構造のヒューズユニットを提供することにある。
【課題を解決するための手段】
【０００６】
上記の課題を解決するため、本発明のヒューズユニットは、車両のバッテリーと負荷との間に接続されるヒューズ機能を有するバスバーをモールドして形成された樹脂製のヒューズブロックと、該ヒューズブロックに被冠される樹脂製の絶縁保護カバーとを備え、前記ヒューズブロックは、前記バスバーよりも外側の縁部に穴が形成され、前記絶縁保護カバーは、前記ヒューズブロックの前記穴に対応する位置に垂下された柱体部が形成され、該柱体部を前記ヒューズブロックの前記穴に圧入して取り付けられてなることを特徴とする。
【０００７】
本発明によれば、絶縁保護カバーの柱体部をヒューズブロックの穴に圧入して取り付けたことから、絶縁保護カバーに衝撃力が作用してもヒューズブロックから外れにくい。その結果、ヒューズユニットを構成する導体部が露出して漏電するのを防止できる。特に、絶縁保護カバーが外れにくいから、ヒューズブロックに大きな衝撃力で車両の導電性部材が当たっても、絶縁保護カバーにより衝撃を緩和できる。その結果、絶縁性のヒューズブロックが損傷してバスバー等の導体部がむき出しになるのを防止できるから、バスバー等の導体部に導電性部材が接触して漏電するのを防止できる。しかも、バスバーよりも外側のヒューズブロックの縁部に穴を設けて絶縁保護カバーの柱体部を圧入したことから、ヒューズブロックの側面側から車両の導電性部材により大きな衝撃力が加えられても、圧入した柱体部がクッションになって衝撃力を一層緩和することができる。
【０００８】
この場合において、ヒューズブロックの穴の断面形状は、円形、長円形あるいは矩形のいずれでもよいが、絶縁保護カバーの柱体部の断面形状も穴の断面形状に合わせて形成することは言うまでもない。また、ヒューズブロックの穴と絶縁保護カバーの柱体部の断面積、位置及び数は、衝撃力の大きさ及び方向に応じて適宜決めればよい。
【０００９】
また、絶縁保護カバーの柱体部は、前記ヒューズブロックの前記穴を貫通する長さに形成し、先端部に前記穴の縁部に係止する突起を設けることができる。これによれば、圧入した柱体部が穴から抜け出るのを防止できるから、絶縁保護カバーが外れるのを防止して、保護の信頼性を一層向上できる。
【発明の効果】
【００１０】
本発明によれば、ヒューズブロックに被冠された絶縁保護カバーが外力による衝撃を受けても外れにくい構造のヒューズユニットを提供することができる。
【図面の簡単な説明】
【００１１】
【図１】本発明の一実施形態のヒューズユニットの上面図である。
【図２】図１の線II−IIから見た矢視断面図である。
【図３】本発明の一実施形態のヒューズユニットの全体を、絶縁保護カバーを透視して示した斜視図である。
【図４】図２実施形態の柱体部の変形例を示す要部断面図である。
【発明を実施するための最良の形態】
【００１２】
図３に示すように、本発明の一実施形態のヒューズユニット１は、樹脂製のヒューズブロック１０と、ヒューズブロック１０の上面に露出された導体部を覆う樹脂製の絶縁保護カバー２０を備えて形成される。ヒューズブロック１０は、ヒューズ機能を有するバスバーをモールドして形成されている。つまり、ヒューズ機能を有するバスバーは、過電流が流れたときに溶断する可溶体を備えたヒュージブルリンクが収容されたヒュージブルリンク部１１と、このヒュージブルリンク部１１の可溶体に連結されたバッテリー側の電源端子１２が接続されるバスバー１３と、負荷端子１４が接続されるバスバー１５を有して形成されている。これにより、ヒューズユニット１は車両のバッテリーと負荷との間に接続され、過電流からバッテリーを保護するようになっている。なお、本実施形態のヒューズユニット１は、電源端子１２をバッテリーの電極に直接接続して、ヒューズユニット１自体をバッテリーに取付けて支持させるように形成されているが、本発明はこれに限られるものではない。絶縁保護カバー２０は、絶縁性の樹脂により形成され、ヒューズブロック１０の上面に被冠するキャップ部２０ａと、負荷端子１５を包囲するとともにバッテリーの側面に支持させる垂下部２０ｂを有して形成されている。これにより、絶縁保護カバー２０は、ヒュージブルリンク部１１、バスバー１３、バスバー１５、電源端子１２、負荷端子１４等の導体の露出部を覆っている。
【００１３】
図１乃至図３を参照して、本実施形態の特徴部の構成について説明する。ヒューズブロック１０のヒュージブルリンク部１１、バスバー１３及びバスバー１５よりも外側の上面の縁部に、断面が矩形の穴（又は孔）１６が複数（図示例では４個）形成されている。各穴１６は、図２に示すように、ヒューズブロック１０の下面まで貫通して形成されている。
【００１４】
絶縁保護カバー２０には、ヒューズブロック１０の穴１６に対応するキャップ部２０ａの下面の位置に、各穴１６に圧入される複数（図示例では、左側の２個）の柱体部２１が垂下して設けられている。なお、ヒューズブロック１０の穴１６と絶縁保護カバー２０の柱体部２１の位置及び数は、衝撃力の大きさ及び方向に応じて適宜決めることができる。また、キャップ部２０ａの肩の部分には、複数の開口２２が形成され、この開口２２の図２において下方に、ヒューズブロック１０の縁部の下面角部に係止する鉤型の爪２３が設けられている。
【００１５】
このように構成されることから、ヒューズユニット１は、バスバー１３に固定した電源端子１２を図示していないバッテリーの電極に固定するとともに、バスバー１５に負荷端子１４を接続してバッテリーに取り付けることができる。その後、絶縁保護カバー２０をヒューズブロック１０の上面に被冠し、爪２３がヒューズブロック１０の縁部の下面角部に係止するまで押し下げると同時に、柱体部２１をヒューズブロック１０の穴１６に圧入する。これにより、絶縁保護カバー２０がヒューズブロック１０に強固に組み付けられる。
【００１６】
本実施形態によれば、絶縁保護カバー２０の柱体部２１をヒューズブロック１０の穴１６に圧入して取り付けたことから、絶縁保護カバー２０に衝撃が作用してもヒューズブロック１０から外れにくい。その結果、ヒューズユニット１を構成する導体部が露出して漏電するのを防止できる。特に、絶縁保護カバー２０が外れにくいから、ヒューズブロック１０に鋼板等の大きな衝撃力が作用しても、絶縁保護カバー２０により衝撃を緩和できる。その結果、絶縁性のヒューズブロック１０が損傷してバスバー等の導電部がむき出しになるのを防止できるから、バスバー等の導電部に鋼板等が接触する漏電を防止できる。しかも、バスバーよりも外側のヒューズブロック１０の縁部に穴１６を設けて絶縁保護カバー２０の柱体部２１を圧入したことから、ヒューズブロック１０の側面側から鋼板等の導電性部材により大きな衝撃力が加えられても、圧入した柱体部２１がクッションになって衝撃力を一層緩和することができる。
【００１７】
本実施形態では、ヒューズブロック１０の穴１６の断面形状を矩形にした例を示したが、本発明はこれに限らず、円形あるいは長円形などの断面を選択できる。この場合、絶縁保護カバー２０の柱体部２１の断面形状を、穴１６の断面形状に合わせて形成することは言うまでもない。
【００１８】
また、本実施形態では、絶縁保護カバー２０のキャップ部２０ａの肩の部分に、複数の開口２２を形成し、これらの開口２２の図２において下方に鉤型の爪２３を設け、これらの爪２３をヒューズブロック１０の縁部の下面角部に係止するようにしたが、本発明ではそれらの開口２２及び爪２３を省略することができる。
【００１９】
本実施形態において、絶縁保護カバー２０の柱体部２１の長さを、ヒューズブロック１０を貫通して設けた穴１６の長さよりも長く形成したものを示したが、必ずしもこれに限らず、柱体部２１の長さを穴１６の長さよりも短く形成してもよい。さらに、柱体部２１の長さを穴１６の長さよりも長く形成する場合、図４に示すように、柱体部２１の先端部に穴１６の下面の縁部に係止する突起２１ａを設けることができる。これによれば、圧入した柱体部２１が穴１６から抜け出るのを防止できるから、絶縁保護カバー２０が外れるのを確実に防止でき、保護の信頼性を一層向上できる。
【符号の説明】
【００２０】
１  ヒューズユニット
１０  ヒューズブロック
１１  ヒュージブルリンク部
１２  電源端子
１３  バスバー
１４  負荷端子
１５  バスバー
１６  穴
２０  絶縁保護カバー
２１  柱体部
２２  開口
２３  爪
【図１】
2013004438.tif 000003
【図２】
2013004438.tif 000004
【図３】
2013004438.tif 000005
【図４】
2013004438.tif 000006